(57)【要約】【課題】介護サービスにおけるケアの項目、内容を明瞭にし、費用の算出をより明確にすることができる介護料金表を提供することにある。【解決手段】介護料金を表示する料金表であって、ケア項目表示欄２に表示されるケアの表示内容が、基本介護を表示する基本介護表示部Ｓ１のほか、体調不良サービス表示部Ｓ２ａ、および要介護者の趣味・教養の生活向上サービス、付き添い等の要望に応じたサービスを提供する要望に応じて提供できるサービス表示部Ｓ２ｂを表示し、基本介護表示部Ｓ１のケア内容の内訳に対応して基本料金表示欄７と、前記体調不良サービス表示部に応じてケアの内容につき介護料金に表示する体調不良サービス料金欄８Ａ、および前記要望に応じて提供できるサービス表示部のケア内容の内訳に対応してサービス内容につき時間を介護料金に反映させた要望に応じて提供されるサービス料金欄８Ｂと、合計金額表示蘭Ｆとを、備えている。【選択図】図２
0003126935.tif 000002
【実用新案登録請求の範囲】
【請求項１】
用紙に、ケア項目表示欄と、各ケア項目に対応するケア内容を表示するケア内容表示欄と、該ケア内容の内訳を表示する内訳表示欄と、１回のケアの単価を点数表示する点数表示欄と、を設けて介護料金を表示する介護料金表において、
前記ケア項目表示欄に表示されるケアの表示内容が、基本介護を表示する基本介護表示部のほか、
体調不良時の緊急手当、また、その他の手当を表示する体調不良時の体調不良サービス表示部、および、要介護者等の趣味・教養についての生活向上サービス、また付き添い等のサービス内容を表示する要望に応じて提供できるサービス表示部を表示し、
前記基本介護表示部のケア内容の内訳に対応して基本料金を表示する基本料金表示欄と、
前記体調不良サービス表示部のケア内容の内訳に対応して介護料金を表示する体調不良サービス料金欄と、
および前記要望に応じて提供できるサービス表示部のケア内容の内訳に対応してサービス内容につき時間を介護料金に反映させた要望に応じて提供できるサービス料金欄と、
ケア内容の内訳の合計金額を表示する合計金額表示蘭とを、
備えていることを特徴とする介護料金表。
【請求項２】
点数表示欄に続けて、月間等の所定期間内のケアの回数を表示する回数表示欄と、期間内金額を表示する期間内金額表示欄と、該期間内金額を縦集計した合計金額を表示する合計金額表示蘭とを備えていることを特徴とする請求項１記載の介護料金表。
【請求項３】
用紙の表題部に、基本介護、体調不良サービス又は要望に応じて提供できるサービスの種別を表示する種別表示部が設けられていることを特徴とする請求項１又は２記載の介護料金表。
【考案の詳細な説明】
【技術分野】
【０００１】
本考案は、介護サービスの介護料金表に係り、ケア項目を基本介護を内容とする基本介護と、体調不良時の緊急手当等を内容とする体調不良時のサービス、または要介護者等の趣味・教養についての生活向上サービス、また付き添い等の要望に応じて提供されるサービスをケア内容とする要望に応じて提供できるサービスとが表示され、特にケア内容の基準単価をポイント性で表示してケア内容の明瞭性の確保と各ケアに要する単価の明確化を図った介護料金表に関する。
【背景技術】
【０００２】
近時、高齢者の増加に伴う介護のあり方などに関しては大きな社会問題となっており、要介護者等の受け入れ態勢やその介護費用等、多くの課題に直面している。
【０００３】
前記のような課題のうち、例えば、要介護者等の受け入れ施設においても、特に介護内容とその費用に関しては明確な基準をもっていない場合には、施設利用者や当該施設利用者の保護者、身元引受人などとの間にトラブルが発生するおそれがある。
【０００４】
また、介護サービスにおいても要介護者等の状態により、基本的な介護で済む場合と、緊急時の手当などのように特別介護を必要とする場合、或いは問題行動老人などのような問題行動介護を必要とする場合など、ケアの種類によってケア項目やケア内容、それに伴う費用などが異なり、これ等に対応する基準が必要となる。
【０００５】
基本介護に属するケア項目には、例えば、巡回介護；入浴や身体の清拭を行う入浴等の介護；排泄の誘導・介助を行う排泄介護；食事やおやつの提供をケア内容とする食事介助；リハビリ体操や拘縮予防を介助することをケア内容とする機能回復訓練；着替え時の着脱介助や体位交換の介助、部屋の移動等をケア内容とする身辺介助；洗濯やリネン交換をケア内容とする寝具衣類管理介助；薬の管理・保管・準備、水分チェック、介護記録をケア内容とする日常健康管理；口腔洗浄や洗面介助をケア内容とする衛生管理；清掃・洗浄・寝具の整理等をケア内容とする家事援助などが挙げられる。
【０００６】
本出願人は、上記事情に鑑み、介護料金表として、用紙に、ケア項目表示欄と、各ケア項目に対応するケア内容を表示するケア内容表示欄と、該ケア内容の内訳を表示する内訳表示欄と、１回のケアの単価を点数表示する点数表示欄と、を設けて介護料金を表示するものを案出し、出願に及んだ。この介護料金表は、介護サービスにおけるケアの項目及びその内容が明瞭になると共にそのコストが明確化され、特にコストについてはポイント性を採用することにより、費用の算出をより明確にすることができるため、好評を博するものであった（例えば、特許文献１参照。）。
【特許文献１】実用新案登録第３０６７１１０号公報
【考案の開示】
【考案が解決しようとする課題】
【０００７】
しかし、上記従来の介護料金表は、ケア項目が基本介護を主眼に置いて作成されたものであった。ところで、ケア項目は、基本介護のほかに、要介護者の要介護時の手当の状況、例えば、体調や症状に関連する体調不良手当や、要介護者が日々の生活を送る生活状況、要望、趣味・教養等に起因して種々様々であり、ケア内容も多岐にわたる。このため、基本介護だけでは、介護を必要とする施設利用者が要望する介護をきめ細かに案内し、案内に基づいて介護を受けるのに不十分であり、万全とはいえなかった。しかも、要介護者等、保護者、身元引受人なども、ケア内容に対応する費用がわかりにくいという不便であった。
【０００８】
本考案の目的は、介護サービスにおけるケアの項目を基本介護ばかりではなく、特別介護につき、その内容を明瞭にすると共にその基本介護、および特別介護のケアのコストを明確化することができ、特にコストについてはポイント性を採用することにより、費用の算出をより明確にすることができるようにした介護料金表を提供することにある。
【課題を解決するための手段】
【０００９】
本考案の介護料金表は、請求項１記載のものにおいては、
用紙に、ケア項目表示欄と、各ケア項目に対応するケア内容を表示するケア内容表示欄と、該ケア内容の内訳を表示する内訳表示欄と、１回のケアの単価を点数表示する点数表示欄と、を設けて介護料金を表示する介護料金表において、
前記ケア項目表示欄に表示されるケアの表示内容が、基本介護を表示する基本介護表示部のほか、
体調不良時の緊急手当、また、その他の手当を表示する体調不良時の体調不良サービス表示部、および、要介護者等の趣味・教養についての生活向上サービス、また付き添い等のサービス内容を表示する要望に応じて提供できるサービス表示部を表示し、
前記基本介護表示部のケア内容の内訳に対応して基本料金を表示する基本料金表示欄と、
前記体調不良サービス表示部のケア内容の内訳に対応して介護料金を表示する体調不良サービス料金欄と、
および前記要望に応じて提供できるサービス表示部のケア内容の内訳に対応してサービス内容につき時間を介護料金に反映させた要望に応じて提供できるサービス料金欄と、
ケア内容の内訳の合計金額を表示する合計金額表示蘭とを、
備えていることを特徴とする。
【００１０】
このように構成することにより、ケア項目とそのケア内容及び基準単価を明示することができ、介護サービス案内や説明用の料金表として使用することができる。
【００１１】
請求項２記載のものにおいては、請求項１において、点数表示欄に続けて、月間等の所定期間内のケアの回数を表示する回数表示欄と、期間内金額を表示する期間内金額表示欄と、該期間内金額を縦集計した合計金額を表示する合計金額表示蘭とを備えていることを特徴とする。
【００１２】
請求項３記載のものにおいては、請求項１又は２記載の介護料金表において、用紙の表題部に、基本介護、体調不良サービス又は要望に応じて提供できるサービスの種別を表示する種別表示部が設けられていることを特徴とする。
【考案の効果】
【００１３】
本考案の請求項１記載の考案によれば、用紙に、ケア項目表示欄と、各ケア項目に対応するケア内容を表示するケア内容表示欄と、該ケア内容の内訳を表示する内訳表示欄と、１回のケアの単価を点数表示する点数表示欄と、を設けて介護料金を表示する介護料金表において、前記ケア項目表示欄に表示されるケアの表示内容が、基本介護を表示する基本介護表示部のほか、体調不良時の緊急手当、また、その他の手当を表示する体調不良時の体調不良サービス表示部、および、要介護者の趣味・教養についての生活向上サービス、また付き添い等のサービス内容を表示する要望に応じて提供できるサービス表示部を表示し、前記基本介護表示部のケア内容の内訳に対応して基本料金を表示する基本料金表示欄と、前記体調不良サービス表示部のケア内容の内訳に対応して介護料金を表示する体調不良サービス料金欄と、および前記要望に応じて提供できるサービス表示部のケア内容の内訳に対応してサービス内容につき時間を介護料金に反映させた要望に応じて提供できるサービス料金欄と、ケア内容の内訳の合計金額を表示する合計金額表示蘭とを、備えていることを特徴とするので、ケア項目を、基本介護ばかりではなく、特別介護も表示でき、基本介護のケア内容、特別介護のケア内容、及び基準単価を明示することができ、介護サービス案内や説明用の料金表として使用することができる。
【００１４】
また、本考案の請求項２によれば、点数表示欄に続けて、月間等の所定期間内のケアの回数を表示する回数表示欄と、期間内金額を表示する期間内金額表示欄と、該期間内金額を縦集計した合計金額を表示する合計金額表示蘭とを備えていることを特徴とするので、例えば、基本介護、および特別介護の１ヶ月間などの所定期間内のケア項目、ケア内容及びケアの回数、合計費用を算出することが容易にでき、請求書の内訳表として利用することもできるのは勿論、例えば、１ヶ月にどのケアを何回するか、等を想定して記入することにより所定期間内の基本介護、および特別介護の介護費用の見積書やケアプラン提案書として使用することもできる。
【００１５】
また、請求項３記載のものにおいては、請求項１又は２記載の介護料金表において、用紙の表題部に、基本介護、体調不良サービス又は要望に応じて提供できるサービスの種別を表示する種別表示部が設けられていることを特徴とするので、基本介護の場合、または要望に応じて提供出来るサービスの場合などに分けてそのケア項目、ケア内容及びそのコストや所定期間内の費用などを明示することができ、更に、前記基本介護に加えて、問題行動特有のケア項目、その内容、費用などを明示することができる。
【考案を実施するための最良の形態】
【００１６】
本考案に係る介護料金表の実施例を図１及び図２に基づいて説明する。
【００１７】
図１は、介護サービスにおけるケア項目、ケア内容、その内訳及び単価（基準点数）を表示する料金表（以下「単価表」という）の略上半分を示す一部除去した平面図、図２は同じく単価表の略下半分を示す一部除去した平面図、図３は所定期間内の介護費用を算出する料金表（以下「算出表」という）の略上半分を示す一部除去した平面図、図４は同じく算出表の略下半分を示す一部除去した平面図である。
【００１８】
図１、および図２におけるＡは単価表を示し、用紙１に罫線１１で区画することにより、ケア項目表示欄２と、各ケア項目に対応するケア内容を表示するケア内容表示欄３と、該ケア内容の内訳を表示する内訳表示欄４と、１回のケアの単価を点数表示する点数表示欄５と、が設けられている。６は単位を示す単位表示欄であって、点数が１回のものであることを表示している構成である。
【００１９】
そして、前記ケア項目欄２には、基本介護表示部Ｓ１におけるケア項目として、例えば、巡回介護２ａ、入浴等の介護２ｂ、排泄介護２ｃ、食事介助２ｄ、機能回復訓練２ｅ、身辺介助２ｆ、寝具衣類管理２ｇ、日常健康管理２ｈ、衛生管理２ｉ、身だしなみ２ｊ、家事援助２ｋなどが表示される。
【００２０】
また、基本介護表示部Ｓ１におけるケア内容表示欄３には、ケア事項が巡回介護２ａの場合には、ケア内容として、例えば、昼間３ａ１、夜間３ａ２のケア内容が表示される。また、ケア事項が入浴２ｂの場合には、入浴３ｂ１、特別入浴３ｂ２、部分入浴３ｂ３、全身清拭３ｂ４、部分清拭３ｂ５のケア内容が表示される。また、ケア事項が排泄２ｃの場合には、排泄・誘導・介助３ｃ１、オムツ交換３ｃ２、排泄器処理３ｃ３がケア内容として表示される。また、ケア事項が食事介助２ｄの場合には、食事介助３ｄ１，おやつ３ｄ２がケア内容として表示される。また、ケア事項が機能回復訓練２ｅの場合には、リハビリ体操３ｅ１，拘縮予防３ｅ２がケア内容として挙げられる。また、ケア事項が身辺介助２ｆの場合には、着脱介助３ｆ１、体位交換の介助３ｆ２、居室からの移動３ｆ３がケア内容として挙げられる。また、ケア事項が日常健康管理２ｈである場合には、薬管理保管・準備３ｈ１、水分チェック３ｈ２、バイタルチェツク３ｈ３、排泄チェック３ｈ４、介護記録３ｈ５、病院付き添い３ｈ６などがケア内容として挙げられる。また、ケア項目が衛生管理２ｉの場合には口腔洗浄３ｉ１、洗面介助３ｉ２が、また、ケア項目が身だしなみ２ｊの場合には髭剃り・化粧補助３ｊ１が、さらに、ケア項目が家事援助２ｋの場合には清掃・洗濯・寝具・整理等３ｋ１がケア内容として挙げられる。
【００２１】
また、基本介護表示部Ｓ１の内訳表示欄４には、基本介護表示部Ｓ１でのそれぞれのケア内容に対応する内訳、例えば、ケア内容が入浴等の介護２ｂにおいては見守り４ｂ１、介助４ｂ２、機械浴４ｂ３、手指足浴４ｂ４、洗髪４ｂ５、陰部・臀部洗浄４ｂ６、着脱含み４ｂ７、体幹４ｂ８、上肢４ｂ９、下肢４ｂ１０、陰部・臀部４ｂ１１・・・などの各内訳が表示されている。また、ケア事項が排泄２ｃにおけるケア内容は、例えば介助・処理４ｃ１、清拭含４ｃ２、陰部・臀部洗浄４ｃ３が挙げられる。また、ケア事項が、食事介助２ｄにおけるケアの内訳は、半介助４ｄ１、全介助４ｄ２、水分補給を兼ねる４ｄ３が挙げられる。また、ケア事項が、機能回復訓練２ｅにおけるケアの内訳は、四肢運動４ｅ１がある。また、ケア事項が、身辺介助２ｆにおけるケアの内訳は、起床就寝時の着替え４ｆ１、介助見守り４ｆ２、車椅子４ｆ３が挙げられる。また、ケア事項が、寝具衣料管理２ｇにおけるケアの内訳は、汚物など４ｇ１、シーツ交換４ｇ２が挙げられる。また、ケア事項が、日常健康管理２ｈにおけるケアの内訳は、投薬・点眼４ｈ１、水分量のチェック・指導４ｈ２、血圧・心拍数・体温４ｈ３、尿・便回数チェック４ｈ４、日常生活の記録４ｈ５が挙げられる。また、ケア事項が、衛生管理２ｉにおけるケアの内訳は、歯磨４ｉ１、うがい介助４ｉ２、口腔内清拭４ｉ３、義歯手入れ４ｉ４、起床就寝時の洗面４ｉ５が挙げられる。また、ケア事項が、家事援助２ｋにおけるケア内容は、清掃・洗濯・寝具・整理等４ｋ１が挙げられる。そして、点数表示欄５には、各ケアの内訳に対応する基準点数５ａ，５ｂ，５ｃ・・・が表示されており、例えば、１点１０円で算出される等の点については、例えば特許文献１に記載の上記従来の介護料金表と同様の構成である。この点数当たりの介護料金の設定については、労働コストや物価水準等を考慮して設定される。
【００２２】
しかしながら、図１、および図２に示す本実施形態１の介護料金表では、前記ケア項目表示欄２に表示されるケアの表示内容が、基本介護を表示する前述の基本介護表示部Ｓ１のほか、前記ケア項目表示欄２に表示されるケアの表示内容が、体調不良時の緊急手当、また、その他の手当を表示する体調不良サービス表示部Ｓ２ａ、および前記ケア項目表示欄２に表示されるケアの表示内容が、要介護者等の趣味・教養についての生活向上サービス、また付き添い等のサービス内容を表示する要望に応じて提供できるサービス表示部Ｓ２ｂを表示し、前記基本介護表示部Ｓ１のケア内容の内訳に対応して基本料金を表示する基本料金表示欄７と、前記体調不良サービス表示部Ｓ２ａのケア内容の内訳に対応して介護料金を表示させた体調不良サービス料金欄８Ａと、および前記要望に応じて提供できるサービス表示部Ｓ２ｂのケア内容の内訳に対応してサービス内容につき時間を介護料金に反映させた要望に応じて提供できるサービス料金欄８Ｂと、ケア内容の内訳の合計金額を表示する合計金額表示蘭Ｆとを、備えていることを特徴とする。
【００２３】
そして、ケア項目表示欄２に表示されたケア項目が、体調不良サービス表示部Ｓ２ａでは、ケア内容として、例えば、緊急手当３ｌ１、その他の手当３ｌ２が表示される。
【００２４】
さらに、要望サービス表示部Ｓ２ｂにおける、ケア項目表示欄２には、ケア項目として要介護者等の趣味・教養についての生活向上サービス２ｍ、また付き添い２ｎ、特別付添介護２ｏ、理美容２ｐ、代行２ｑ等のケア項目が表示される。
【００２５】
そして、要望に応じて提供できるサービス表示部Ｓ２ｂにおけるケア内容表示欄３には、買い物３ｍ１，外食３ｍ２、ドライブ３ｍ３、カルチャー３ｍ４、グループ旅行３ｍ５のケア内容が表示され、表示項目が付き添い２ｎである場合には自立支援介助３ｎ１、散歩介助３ｎ２、買い物３ｎ３、通院３ｎ４が挙げられ、表示項目が理美容２ｐである場合には散髪３ｐ１のケア内容が挙げられ、表示項目が代行２ｑである場合には役所手続３ｑ１等のケア内容が挙げられる。そして、要望サービス表示部Ｓ２ｂにおけるケア内容表示欄３に表示されるケア内容には基本介護料金とは異なり、要望に応じて提供できるサービス内容につき時間を介護料金に反映させて課せられる。
【００２６】
また、体調不良サービス表示部Ｓ２ａのケア内容表示欄３に表示されたケア内容が緊急手当３ｌ１である場合に、内訳表示欄４に表示されるケアの内訳は、救急処置４ｌ１、救急車要請４ｌ２、病院付き添い４ｌ３、湿布貼布４ｌ４、また冷刺激、温刺激、薬剤により局所的に抗炎症、鎮痛作用を与える罨法４ｌ５、嘔吐時介助４ｌ６、バイタルチェック４ｌ７が挙げられる。また、ケア内容表示欄３に表示されたケア内容がその他手当３ｌ２である場合に、内訳表示欄４に表示されるケアの内訳は、経管栄養補給４ｌ８、痰の吸引４ｌ９、坐薬挿入４ｌ１０、浣腸介助４ｌ１１、摘便介助４ｌ１２、包交軟膏塗布４ｌ１３、外傷の手当４ｌ１４、酸素吸入４ｌ１５、霧状の薬剤を直接病変部に噴霧して治療を行うネブライザー４ｌ１６、バルーンが先端についたカテーテルを使って冠動脈の狭搾部でバルーンを膨らませ、動脈を拡げる等のバルーン処置４ｌ１７、潰瘍性大腸炎の手術で、ステロイドの影響等を考えて、一時的にストマ（人工肛門）を造設するストマ処置４ｌ１８、頓服薬の投与の実施４ｌ１９、その他４ｌ２０が挙げられる。
【００２７】
また、要望に応じて提供できるサービス表示部Ｓ２ｂのケア内容表示欄３に表示されたケア内容が例えばカルチャー３ｍ４である場合に、内訳表示欄４に表示されるケアの内訳は花・お茶・書道他４ｍ１である。
【００２８】
そして、図１、および図２に示す本実施形態１の介護料金表では、ケア項目表示欄２に表示される表示内容が、基本介護を表示する基本介護表示部Ｓ１のほか、体調不良サービス表示部Ｓ２ａ、および要望に応じて提供できるサービス表示部Ｓ２ｂより構成されるので、基本介護表示部Ｓ１に表示される基本介護については基本料金表示欄７に表示され、体調不良に応じて提供される体調不良サービスについてはケアの内訳に対応して介護料金が体調不良サービス金額欄８Ａに表示され、または要望に応じて提供されるサービス内容については、サービス内容につき時間を介護料金に反映させ、要望に応じて提供できるサービス料金欄８Ｂに掲載され、これらの基本介護料金と、体調不良サービス料金と、要望に応じて提供されるサービス料金の合計は合計欄Ｆに表示される。
【００２９】
そして、図１、および図２の単価表Ａにおいては、基本介護表示部Ｓ１と、該基本介護表示部Ｓ１でのケア内容だけではまかなえない社会生活を営む上での事柄や、趣味、教養、また緊急な事柄、さらには専門的事柄等のケア内容の充実を目指した体調不良サービスや要望に応じて提供できるサービス内容とのケア項目とそのケア内容及び基準単価を明示することができ、要介護者、保護者等に対する介護サービス案内や説明用の料金表として使用することができる。
【００３０】
図３，および図４におけるＢは算出表を示し、前記点数表示欄５に続けて、月間等の所定期間（実施例では１ヶ月）内のケアの回数を表示する回数表示欄１３と、期間内金額を表示する期間内金額表示欄１４と、期間内におけるケア項目ごとの期間内金額を表示する項目期間内金額表示欄１５と、前記期間内金額を縦集計した合計金額を表示する合計金額表示蘭１６と、が設けられている。
【００３１】
この算出表Ｂにおいても表題部に、基本介護、問題行動、体調不良サービス、要望に応じて提供できるサービス等の介護種別を表示する介護種別表示部１２が設けられると共に欄外には、算出期間表示欄１７、施設への入居者表示欄１８及び算出年月日表示欄１９等が設けられている。
【００３２】
図３，および図４における算出表Ｂにおいては、例えば、１ヶ月間などの所定期間内のケア項目、ケア内容及びケアの回数、合計費用を算出することが容易にでき、請求書の内訳表として利用することもできるのは勿論、例えば、１ヶ月にどのケアを何回するか、等を想定して記入することによりケアプラン書及び所定期間内の介護費用の見積書として使用することもできる。
【産業上の利用可能性】
【００３３】
本考案の介護料金表によれば、介護サービスにおけるケアの項目を基本介護ばかりではなく、特別介護につき、その内容を明瞭にすると共にその基本介護、および体調不良サービス、要望に応じて提供できるケアのコストを明確化することができ、特にコストについてはポイント性を採用することにより、費用の算出をより明確にすることができる用途、機能に適する。
【図面の簡単な説明】
【００３４】
【図１】本考案に係る介護料金表の実施例を単価表として略上半分を示す一部除去した平面図である。
【図２】本考案に係る介護料金表の実施例を単価表として略下半分を示す一部除去した平面図である。
【図３】本考案に係る介護料金表の実施例を算出表として略上半分を示す一部除去した平面図である。
【図４】本考案に係る介護料金表の実施例を算出表として略下半分を示す一部除去した平面図である。
【符号の説明】
【００３５】
Ａ    単価表
Ｂ    算出表
１    用紙
２    ケア項目表示欄
３    ケア内容表示欄
４    内訳表示欄
５    点数表示欄
７    回数表示欄
８    期間内金額表示欄
１０    合計金額表示欄
Ｓ１    基本介護表示部
Ｓ２ａ  体調不良サービス表示部
Ｓ２ｂ  要望に応じて提供できるサービス表示部
【図１】
0003126935.tif 000003
【図２】
0003126935.tif 000004
【図３】
0003126935.tif 000005
【図４】
0003126935.tif 000006
【手続補正書】
【提出日】平成18年9月15日(2006.9.15)
【手続補正１】
【補正対象書類名】実用新案登録請求の範囲
【補正対象項目名】全文
【補正方法】変更
【補正の内容】
【実用新案登録請求の範囲】
【請求項１】
用紙に罫線にて区画することにより、ケア項目表示欄と、各ケア項目に対応するケア内容を表示するケア内容表示欄と、該ケア内容の内訳を表示する内訳表示欄と、１回のケアの単価を点数表示する点数表示欄と、を前記用紙に設けた介護料金表において、
前記ケア項目表示欄に表示されるケアの表示内容に対応して、基本介護を表示する基本介護表示欄を設けるとともに、
体調不良時の緊急手当、その他の手当を表示する体調不良サービス表示欄、および、要介護者等の趣味・教養についての生活向上サービス、また付き添い等のサービス内容を表示する要望に応じて提供できるサービス表示欄を前記用紙に設け、
前記基本介護表示欄のケア内容の内訳に対応して基本料金を表示する基本料金表示欄と、
前記体調不良サービス表示欄のケア内容の内訳に対応して介護料金を表示する体調不良サービス料金欄と、
および前記要望に応じて提供できる前記サービス表示欄のケア内容の内訳に対応してサービス内容につき時間を介護料金に反映させた要望に応じて提供されるサービス料金欄との、
ケア内容の内訳の合計金額を表示する合計金額表示蘭とを、前記用紙に表示される前記各ケア内容の終尾欄個所に設けたことを特徴とする介護料金表。
【請求項２】
点数表示欄に続けて、月間等の所定期間内のケアの回数を表示する回数表示欄と、期間内金額を表示する期間内金額表示欄と、該期間内金額を縦集計した合計金額を表示する合計金額表示蘭とを備えていることを特徴とする請求項１記載の介護料金表。
【請求項３】
用紙の表題部に、基本介護、体調不良サービス又は要望に応じて提供できるサービスの種別を表示する種別表示欄が設けられていることを特徴とする請求項１又は２記載の介護料金表。
【手続補正２】
【補正対象書類名】明細書
【補正対象項目名】全文
【補正方法】変更
【補正の内容】
【考案の詳細な説明】
【技術分野】
【０００１】
本考案は、介護サービスの介護料金表に係り、ケア項目を基本介護を内容とする基本介護と、体調不良時の緊急手当等を内容とする体調不良時のサービス、または要介護者等の趣味・教養についての生活向上サービス、また付き添い等の要望に応じて提供されるサービスをケア内容とする要望に応じて提供できるサービスとが表示され、特にケア内容の基準単価をポイント性で表示してケア内容の明瞭性の確保と各ケアに要する単価の明確化を図った介護料金表に関する。
【背景技術】
【０００２】
近時、高齢者の増加に伴う介護のあり方などに関しては大きな社会問題となっており、要介護者等の受け入れ態勢やその介護費用等、多くの課題に直面している。
【０００３】
前記のような課題のうち、例えば、要介護者等の受け入れ施設においても、特に介護内容とその費用に関しては明確な基準をもっていない場合には、施設利用者や当該施設利用者の保護者、身元引受人などとの間にトラブルが発生するおそれがある。
【０００４】
また、介護サービスにおいても要介護者等の状態により、基本的な介護で済む場合と、緊急時の手当などのように特別介護を必要とする場合、或いは問題行動老人などのような問題行動介護を必要とする場合など、ケアの種類によってケア項目やケア内容、それに伴う費用などが異なり、これ等に対応する基準が必要となる。
【０００５】
基本介護に属するケア項目には、例えば、巡回介護、入浴や身体の清拭を行う入浴等の介護、排泄の誘導・介助を行う排泄介護、食事やおやつの提供をケア内容とする食事介助、リハビリ体操や拘縮予防を介助することをケア内容とする機能回復訓練、着替え時の着脱介助や体位交換の介助、部屋の移動等をケア内容とする身辺介助、洗濯やリネン交換をケア内容とする寝具衣類管理介助、薬の管理・保管・準備、水分チェック、介護記録をケア内容とする日常健康管理、口腔洗浄や洗面介助をケア内容とする衛生管理、清掃・洗浄・寝具の整理等をケア内容とする家事援助などが挙げられる。
【０００６】
本出願人は、上記事情に鑑み、介護料金表として、用紙に罫線にて区画することにより、ケア項目表示欄と、各ケア項目に対応するケア内容を表示するケア内容表示欄と、該ケア内容の内訳を表示する内訳表示欄と、１回のケアの単価を点数表示する点数表示欄と、を設けて介護料金を表示するものを案出し、出願に及んだ。この介護料金表は、介護サービスにおけるケアの項目及びその内容が明瞭になると共にそのコストが明確化され、特にコストについてはポイント性を採用することにより、費用の算出をより明確にすることができるため、好評を博するものであった（例えば、特許文献１参照。）。
【特許文献１】実用新案登録第３０６７１１０号公報
【考案の開示】
【考案が解決しようとする課題】
【０００７】
しかし、上記従来の介護料金表は、ケア項目が基本介護を主眼に置いて作成されたものであった。ところで、ケア項目は、基本介護のほかに、要介護者の要介護時の手当の状況、例えば、体調や症状に関連する体調不良手当や、要介護者が日々の生活を送る生活状況、要望、趣味・教養等に起因して種々様々であり、ケア内容も多岐にわたる。このため、基本介護だけでは、介護を必要とする施設利用者が要望する介護をきめ細かに案内し、案内に基づいて介護を受けるのに不十分であり、万全とはいえなかった。しかも、要介護者等、保護者、身元引受人なども、ケア内容に対応する費用がわかりにくいという不便であった。
【０００８】
本考案の目的は、介護サービスにおけるケアの項目を基本介護ばかりではなく、特別介護につき、その内容を明瞭にすると共にその基本介護、および特別介護のケアのコストを明確化することができ、特にコストについてはポイント性を採用することにより、費用の算出をより明確にすることができるようにした介護料金表を提供することにある。
【課題を解決するための手段】
【０００９】
本考案の介護料金表は、請求項１記載のものにおいては、
用紙に罫線にて区画することにより、ケア項目表示欄と、各ケア項目に対応するケア内容を表示するケア内容表示欄と、該ケア内容の内訳を表示する内訳表示欄と、１回のケアの単価を点数表示する点数表示欄と、を前記用紙に設けた介護料金表において、
前記ケア項目表示欄に表示されるケアの表示内容に対応して、基本介護を表示する基本介護表示欄を設けるとともに、
体調不良時の緊急手当、その他の手当を表示する体調不良サービス表示欄、および、要介護者等の趣味・教養についての生活向上サービス、また付き添い等のサービス内容を表示する要望に応じて提供できるサービス表示欄を前記用紙に設け、
前記基本介護表示欄のケア内容の内訳に対応して基本料金を表示する基本料金表示欄と、
前記体調不良サービス表示欄のケア内容の内訳に対応して介護料金を表示する体調不良サービス料金欄と、
および前記要望に応じて提供できる前記サービス表示欄のケア内容の内訳に対応してサービス内容につき時間を介護料金に反映させた要望に応じて提供されるサービス料金欄との、
ケア内容の内訳の合計金額を表示する合計金額表示蘭とを、前記用紙に表示される前記各ケア内容の終尾欄個所に設けたことを特徴とする。
【００１０】
このように構成することにより、ケア項目とそのケア内容及び基準単価を明示することができ、介護サービス案内や説明用の料金表として使用することができる。
【００１１】
請求項２記載のものにおいては、請求項１において、点数表示欄に続けて、月間等の所定期間内のケアの回数を表示する回数表示欄と、期間内金額を表示する期間内金額表示欄と、該期間内金額を縦集計した合計金額を表示する合計金額表示蘭とを備えていることを特徴とする。
【００１２】
請求項３記載のものにおいては、請求項１又は２記載の介護料金表において、用紙の表題部に、基本介護、体調不良サービス又は要望に応じて提供できるサービスの種別を表示する種別表示欄が設けられていることを特徴とする。
【考案の効果】
【００１３】
本考案の請求項１記載の考案によれば、用紙に罫線にて区画することにより、ケア項目表示欄と、各ケア項目に対応するケア内容を表示するケア内容表示欄と、該ケア内容の内訳を表示する内訳表示欄と、１回のケアの単価を点数表示する点数表示欄と、を前記用紙に設けた介護料金表において、前記ケア項目表示欄に表示されるケアの表示内容に対応して、基本介護を表示する基本介護表示欄を設けるとともに、体調不良時の緊急手当、その他の手当を表示する体調不良サービス表示欄、および、要介護者等の趣味・教養についての生活向上サービス、また付き添い等のサービス内容を表示する要望に応じて提供できるサービス表示欄を前記用紙に設け、前記基本介護表示欄のケア内容の内訳に対応して基本料金を表示する基本料金表示欄と、前記体調不良サービス表示欄のケア内容の内訳に対応して介護料金を表示する体調不良サービス料金欄と、および前記要望に応じて提供できる前記サービス表示欄のケア内容の内訳に対応してサービス内容につき時間を介護料金に反映させた要望に応じて提供されるサービス料金欄との、ケア内容の内訳の合計金額を表示する合計金額表示蘭とを、前記用紙に表示される前記各ケア内容の終尾欄個所に設けたことを特徴とするので、ケア項目を、基本介護ばかりではなく、特別介護も表示でき、基本介護のケア内容、特別介護のケア内容、及び基準単価を明示することができ、介護サービス案内や説明用の料金表として使用することができる。
【００１４】
また、本考案の請求項２によれば、点数表示欄に続けて、月間等の所定期間内のケアの回数を表示する回数表示欄と、期間内金額を表示する期間内金額表示欄と、該期間内金額を縦集計した合計金額を表示する合計金額表示蘭とを備えていることを特徴とするので、例えば、基本介護、および特別介護の１ヶ月間などの所定期間内のケア項目、ケア内容及びケアの回数、合計費用を算出することが容易にでき、請求書の内訳表として利用することもできるのは勿論、例えば、１ヶ月にどのケアを何回するか、等を想定して記入することにより所定期間内の基本介護、および特別介護の介護費用の見積書やケアプラン提案書として使用することもできる。
【００１５】
また、請求項３記載のものにおいては、請求項１又は２記載の介護料金表において、用紙の表題部に、基本介護、体調不良サービス又は要望に応じて提供できるサービスの種別を表示する種別表示欄が設けられていることを特徴とするので、基本介護の場合、または要望に応じて提供出来るサービスの場合などに分けてそのケア項目、ケア内容及びそのコストや所定期間内の費用などを明示することができ、更に、前記基本介護に加えて、問題行動特有のケア項目、その内容、費用などを明示することができる。
【考案を実施するための最良の形態】
【００１６】
本考案に係る介護料金表の実施例を図１及び図２に基づいて説明する。
【００１７】
図１は、介護サービスにおけるケア項目、ケア内容、その内訳及び単価（基準点数）を表示する料金表（以下「単価表」という）の略上半分を示す一部除去した平面図、図２は同じく単価表の略下半分を示す一部除去した平面図、図３は所定期間内の介護費用を算出する料金表（以下「算出表」という）の略上半分を示す一部除去した平面図、図４は同じく算出表の略下半分を示す一部除去した平面図である。
【００１８】
図１、および図２におけるＡは単価表を示し、用紙１に罫線１１で区画することにより、ケア項目表示欄２と、各ケア項目に対応するケア内容を表示するケア内容表示欄３と、該ケア内容の内訳を表示する内訳表示欄４と、１回のケアの単価を点数表示する点数表示欄５と、が前記用紙１に設けられている。６は単位を示す単位表示欄であって、点数が１回のものであることを表示している構成である。
【００１９】
そして、前記ケア項目欄２には、基本介護表示欄Ｓ１におけるケア項目として、例えば、巡回介護２ａ、入浴等の介護２ｂ、排泄介護２ｃ、食事介助２ｄ、機能回復訓練２ｅ、身辺介助２ｆ、寝具衣類管理２ｇ、日常健康管理２ｈ、衛生管理２ｉ、身だしなみ２ｊ、家事援助２ｋなどが表示される。
【００２０】
また、基本介護表示欄Ｓ１におけるケア内容表示欄３には、ケア事項が巡回介護２ａの場合には、ケア内容として、例えば、昼間３ａ１、夜間３ａ２のケア内容が表示される。また、ケア事項が入浴等の介護２ｂの場合には、入浴３ｂ１、特別入浴３ｂ２、部分入浴３ｂ３、全身清拭３ｂ４、部分清拭３ｂ５のケア内容が表示される。また、ケア事項が排泄２ｃの場合には、排泄・誘導・介助３ｃ１、オムツ交換３ｃ２、排泄器処理３ｃ３がケア内容として表示される。また、ケア事項が食事介助２ｄの場合には、食事介助３ｄ１，おやつ３ｄ２がケア内容として表示される。また、ケア事項が機能回復訓練２ｅの場合には、リハビリ体操３ｅ１，拘縮予防３ｅ２がケア内容として挙げられる。また、ケア事項が身辺介助２ｆの場合には、着脱介助３ｆ１、体位交換の介助３ｆ２、居室からの移動３ｆ３がケア内容として挙げられる。また、ケア事項が日常健康管理２ｈである場合には、薬管理保管・準備３ｈ１、水分チェック３ｈ２、バイタルチェツク３ｈ３、排泄チェック３ｈ４、介護記録３ｈ５、病院付き添い３ｈ６などがケア内容として挙げられる。また、ケア項目が衛生管理２ｉの場合には口腔洗浄３ｉ１、洗面介助３ｉ２が、また、ケア項目が身だしなみ２ｊの場合には髭剃り・化粧補助３ｊ１が、さらに、ケア項目が家事援助２ｋの場合には清掃・洗濯・寝具・整理等３ｋ１がケア内容として挙げられる。
【００２１】
また、基本介護表示欄Ｓ１の内訳表示欄４には、基本介護表示欄Ｓ１でのそれぞれのケア内容に対応する内訳、例えば、ケア内容が入浴等の介護２ｂにおいては見守り４ｂ１、介助４ｂ２、機械浴４ｂ３、手指足浴４ｂ４、洗髪４ｂ５、陰部・臀部洗浄４ｂ６、着脱含み４ｂ７、体幹４ｂ８、上肢４ｂ９、下肢４ｂ１０、陰部・臀部４ｂ１１・・・などの各内訳が表示されている。また、ケア事項が排泄２ｃにおけるケア内容は、例えば介助・処理４ｃ１、清拭含４ｃ２、陰部・臀部洗浄４ｃ３が挙げられる。また、ケア事項が、食事介助２ｄにおけるケアの内訳は、半介助４ｄ１、全介助４ｄ２、水分補給を兼ねる４ｄ３が挙げられる。また、ケア事項が、機能回復訓練２ｅにおけるケアの内訳は、四肢運動４ｅ１がある。また、ケア事項が、身辺介助２ｆにおけるケアの内訳は、起床就寝時の着替え４ｆ１、介助見守り４ｆ２、車椅子４ｆ３が挙げられる。また、ケア事項が、寝具衣料管理２ｇにおけるケアの内訳は、汚物など４ｇ１、シーツ交換４ｇ２が挙げられる。また、ケア事項が、日常健康管理２ｈにおけるケアの内訳は、投薬・点眼４ｈ１、水分量のチェック・指導４ｈ２、血圧・心拍数・体温４ｈ３、尿・便回数チェック４ｈ４、日常生活の記録４ｈ５が挙げられる。また、ケア事項が、衛生管理２ｉにおけるケアの内訳は、歯磨４ｉ１、うがい介助４ｉ２、口腔内清拭４ｉ３、義歯手入れ４ｉ４、起床就寝時の洗面４ｉ５が挙げられる。また、ケア事項が、家事援助２ｋにおけるケア内容は、清掃・洗濯・寝具・整理等４ｋ１が挙げられる。そして、点数表示欄５には、各ケアの内訳に対応する基準点数５ａ，５ｂ，５ｃ・・・が表示されており、例えば、１点１０円で算出される等の点については、例えば特許文献１に記載の上記従来の介護料金表と同様の構成である。この点数当たりの介護料金の設定については、労働コストや物価水準等を考慮して設定される。
【００２２】
しかしながら、図１、および図２に示す本実施形態１の介護料金表では、前記ケア項目表示欄２に表示されるケアの表示内容が、基本介護を表示する前述の基本介護表示欄Ｓ１を前記用紙１に設けるとともに、罫線１１により区画されて前記基本介護表示欄Ｓ１の下方には、前記ケア項目表示欄２に表示されるケアの表示内容が、体調不良時の緊急手当、また、その他の手当を表示する体調不良サービス表示欄Ｓ２ａ、および前記ケア項目表示欄２に表示されるケアの表示内容が、要介護者等の趣味・教養についての生活向上サービス、また付き添い等のサービス内容を表示する要望に応じて提供できるサービス表示欄Ｓ２ｂを表示し、前記基本介護表示欄Ｓ１のケア内容の内訳に対応して基本料金を表示する基本料金表示欄７と、前記体調不良サービス表示欄Ｓ２ａのケア内容の内訳に対応して介護料金を表示させた体調不良サービス料金欄８Ａと、および前記要望に応じて提供できるサービス表示欄Ｓ２ｂのケア内容の内訳に対応してサービス内容につき時間を介護料金に反映させた要望に応じて提供できるサービス料金欄８Ｂと、ケア内容の内訳の合計金額を表示する合計金額表示蘭Ｆとを、前記用紙１に表示される前記各ケア内容の終尾欄個所に設けたことを特徴とする。
【００２３】
そして、ケア項目表示欄２に表示されたケア項目が、体調不良サービス表示欄Ｓ２ａでは、ケア内容として、例えば、緊急手当３ｌ１、その他の手当３ｌ２が表示される。
【００２４】
さらに、要望サービス表示欄Ｓ２ｂにおける、ケア項目表示欄２には、ケア項目として要介護者等の趣味・教養についての生活向上サービス２ｍ、また付き添い２ｎ、特別付添介護２ｏ、理美容２ｐ、代行２ｑ等のケア項目が表示される。
【００２５】
そして、要望に応じて提供できるサービス表示欄Ｓ２ｂにおけるケア内容表示欄３には、買い物３ｍ１，外食３ｍ２、ドライブ３ｍ３、カルチャー３ｍ４、グループ旅行３ｍ５のケア内容が表示され、表示項目が付き添い２ｎである場合には自立支援介助３ｎ１、散歩介助３ｎ２、買い物３ｎ３、通院３ｎ４が挙げられ、表示項目が理美容２ｐである場合には散髪３ｐ１のケア内容が挙げられ、表示項目が代行２ｑである場合には役所手続３ｑ１等のケア内容が挙げられる。そして、要望サービス表示欄Ｓ２ｂにおけるケア内容表示欄３に表示されるケア内容には基本介護料金とは異なり、要望に応じて提供できるサービス内容につき時間を介護料金に反映させて課せられる。
【００２６】
また、体調不良サービス表示欄Ｓ２ａのケア内容表示欄３に表示されたケア内容が緊急手当３ｌ１である場合に、内訳表示欄４に表示されるケアの内訳は、救急処置４ｌ１、救急車要請４ｌ２、病院付き添い４ｌ３、湿布貼布４ｌ４、また冷刺激、温刺激、薬剤により局所的に抗炎症、鎮痛作用を与える罨法４ｌ５、嘔吐時介助４ｌ６、バイタルチェック４ｌ７が挙げられる。また、ケア内容表示欄３に表示されたケア内容がその他手当３ｌ２である場合に、内訳表示欄４に表示されるケアの内訳は、経管栄養補給４ｌ８、痰の吸引４ｌ９、坐薬挿入４ｌ１０、浣腸介助４ｌ１１、摘便介助４ｌ１２、包交軟膏塗布４ｌ１３、外傷の手当４ｌ１４、酸素吸入４ｌ１５、霧状の薬剤を直接病変部に噴霧して治療を行うネブライザー４ｌ１６、バルーンが先端についたカテーテルを使って冠動脈の狭搾部でバルーンを膨らませ、動脈を拡げる等のバルーン処置４ｌ１７、潰瘍性大腸炎の手術で、ステロイドの影響等を考えて、一時的にストマ（人工肛門）を造設するストマ処置４ｌ１８、頓服薬の投与の実施４ｌ１９、その他４ｌ２０が挙げられる。
【００２７】
また、要望に応じて提供できるサービス表示欄Ｓ２ｂのケア内容表示欄３に表示されたケア内容が例えばカルチャー３ｍ４である場合に、内訳表示欄４に表示されるケアの内訳は花・お茶・書道他４ｍ１である。
【００２８】
そして、図１、および図２に示す本実施形態１の介護料金表では、ケア項目表示欄２に表示される表示内容が、基本介護を表示する基本介護表示欄Ｓ１のほか、体調不良サービス表示欄Ｓ２ａ、および要望に応じて提供できるサービス表示欄Ｓ２ｂより構成されるので、基本介護表示部Ｓ１に表示される基本介護については基本料金表示欄７に表示され、体調不良に応じて提供される体調不良サービスについてはケアの内訳に対応して介護料金が体調不良サービス金額欄８Ａに表示され、または要望に応じて提供されるサービス内容については、サービス内容につき時間を介護料金に反映させ、要望に応じて提供できるサービス料金欄８Ｂに掲載され、これらの基本介護料金と、体調不良サービス料金と、要望に応じて提供されるサービス料金の合計は合計欄Ｆに表示される。
【００２９】
そして、図１、および図２の単価表Ａにおいては、基本介護表示欄Ｓ１と、該基本介護表示部Ｓ１でのケア内容だけではまかなえない社会生活を営む上での事柄や、趣味、教養、また緊急な事柄、さらには専門的事柄等のケア内容の充実を目指した体調不良サービスや要望に応じて提供できるサービス内容とのケア項目とそのケア内容及び基準単価を明示することができ、要介護者、保護者等に対する介護サービス案内や説明用の料金表として使用することができる。
【００３０】
図３，および図４におけるＢは算出表を示し、前記点数表示欄５に続けて、月間等の所定期間（実施例では１ヶ月）内のケアの回数を表示する回数表示欄１３と、期間内金額を表示する期間内金額表示欄１４と、期間内におけるケア項目ごとの期間内金額を表示する項目期間内金額表示欄１５と、前記期間内金額を縦集計した合計金額を表示する合計金額表示蘭１６と、が設けられている。
【００３１】
この算出表Ｂにおいても表題部に、基本介護、問題行動、体調不良サービス、要望に応じて提供できるサービス等の介護種別を表示する介護種別表示欄１２が設けられると共に欄外には、算出期間表示欄１７、施設への入居者表示欄１８及び算出年月日表示欄１９等が設けられている。なお、本介護料金表において、各図の同一符号は同一部分が示されている。
【００３２】
図３，および図４における算出表Ｂにおいては、例えば、１ヶ月間などの所定期間内のケア項目、ケア内容及びケアの回数、合計費用を算出することが容易にでき、請求書の内訳表として利用することもできるのは勿論、例えば、１ヶ月にどのケアを何回するか、等を想定して記入することによりケアプラン書及び所定期間内の介護費用の見積書として使用することもできる。
【産業上の利用可能性】
【００３３】
本考案の介護料金表によれば、介護サービスにおけるケアの項目を基本介護ばかりではなく、特別介護につき、その内容を明瞭にすると共にその基本介護、および体調不良サービス、要望に応じて提供できるケアのコストを明確化することができ、特にコストについてはポイント性を採用することにより、費用の算出をより明確にすることができる用途、機能に適する。
【図面の簡単な説明】
【００３４】
【図１】本考案に係る介護料金表の実施例を単価表として略上半分を示す一部除去した平面図である。
【図２】本考案に係る介護料金表の実施例を単価表として略下半分を示す一部除去した平面図である。
【図３】本考案に係る介護料金表の実施例を算出表として略上半分を示す一部除去した平面図である。
【図４】本考案に係る介護料金表の実施例を算出表として略下半分を示す一部除去した平面図である。
【符号の説明】
【００３５】
Ａ    単価表
Ｂ    算出表
１    用紙
２    ケア項目表示欄
３    ケア内容表示欄
４    内訳表示欄
５    点数表示欄
７    回数表示欄
８    期間内金額表示欄
１０    合計金額表示欄
Ｓ１    基本介護表示欄
Ｓ２ａ  体調不良サービス表示欄
Ｓ２ｂ  要望に応じて提供できるサービス表示欄
【手続補正３】
【補正対象書類名】図面
【補正対象項目名】図１
【補正方法】変更
【補正の内容】
【図１】
0003126935.tif 000007
【手続補正４】
【補正対象書類名】図面
【補正対象項目名】図２
【補正方法】変更
【補正の内容】
【図２】
0003126935.tif 000008
【手続補正５】
【補正対象書類名】図面
【補正対象項目名】図４
【補正方法】変更
【補正の内容】
【図４】
0003126935.tif 000009